(57)【要約】      （修正有）【課題】頁めくりのしやすい書見台の提供。【解決手段】書見台のスタンド２と、本置き台１にディスク状の位置設定板を設けそれをダイヤルで締め付けて自由な位置で止まるようにした。本を置く台は１７０°の角度をもたせることにより安定して本が置けるようにした。本を置く台は１枚の板ではページめくりがしづらいので、５枚の板にする事により隙間をもたせ、ページめくりの指がスムーズに入れるようにした。【選択図】図４
0003111378.tif 000002
【実用新案登録請求の範囲】
【請求項１】
書見台のスタンドと本置き台そのものが自由に角度・位置調整ができるのを特徴とした、本を持つ事から開放された読書を楽しむインテリア家具としての書見台
【考案の詳細な説明】
【技術分野】
【０００１】本考案は、読書を楽しむ為のインテリア家具として考案した。
リビングル−ムのソファ−で本を読む、フローリング、畳の部屋での読書、キッチンではお料理レシピを見る等いろいろなシーンで使用できる。
［背景技術］【０００２】本を持つ事から開放され読む事に集中できる。
［考案の開示］
［考案が解決しようとする課題］【０００３】重い本など手で持って支えることは腕の負担と神経を使います。本を置く台は平らでなく１７０°の角度をもたせる事で本が安定して置けて読書出来る。
［課題を解決するための手段］【０００４】本考案は、本を置く台とスタンドで構成され、本を置く台は固定ではなく真中を中心にして前と後ろが上下に動いて自由な角度で本が読める。
［考案の効果］【０００５】リビングル−ムのソファ−で本を読む時、本を置く台が座った位置に合うように前後上下に合わせる事が出来る。
［考案の実施する為の最良の形態］【０００６】本を置く台は一枚の板ではなく五本の細い板で構成されていて、ページめくりしやすい。本を置く台にはページ押さえがあるので一ページ毎確実に頁めくりが出来る。
［実施例］【０００７】本を置く台のスタンドは使用する場所に合わせて組み合わせが変えられる。
【図面の簡単な説明】
【０００８】［図１］リビングル−ムのソファ−で本を読む時の組み合わせ
［図２］フローリング、畳の部屋で本を読む時の組み合わせ
［図３］キッチンではお料理レシピを見る時の組み合わせ
［図４］組み合わせ分解図
【符号の説明】
【０００９】１  本を置く台の角度調整ディスク
２  本を置く台の位置調整ディスク
３  ページ押さえ
４  本受け
５  スタンド
６  ソファ−で本を読む時のスタンド台
７  フローリング、畳の部屋で本を読む時のスタンド台
【図１】
0003111378.tif 000003
【図２】
0003111378.tif 000004
【図３】
0003111378.tif 000005
【図４】
0003111378.tif 000006
【手続補正書】
【提出日】平成17年2月23日(2005.2.23)
【手続補正１】
【補正対象書類名】実用新案登録請求の範囲
【補正対象項目名】全文
【補正方法】変更
【補正の内容】
【実用新案登録請求の範囲】
【請求項１】
スタンド台とこれに取り付けられた本置き台のスタンド、そのスタンド上部に取り付けられた本置き台からなる書見台において、読書で自分の読み易い位置になるように本置き台の位置・角度が、本置き台のスタンドと本置き台のダイアルを使用し自由に調整が出来て、使用する場所に応じて本置き台とスタンドの組み合わせが変えられる事を特徴とした、本を持つ事から開放された読書を楽しむ、インテリア家具としての書見台
【手続補正２】
【補正対象書類名】明細書
【補正対象項目名】全文
【補正方法】変更
【補正の内容】
【考案の詳細な説明】
【技術分野】
【０００１】  本考案は、読書を楽しむ為のインテリア家具として考案した。
リビングル−ムの椅子・ソファ−で本を読む、フローリング・畳の部屋での読書、キッチンでのお料理レシピを見る等いろいろな場所で使用出来る書見台である。
【背景技術】
【０００２】  フロ−リング、ソファ−での読書、キッチンでのレシピを見る等自分の読み易い書見台の位置があるので固定された書見台では満足出来なかった。
【考案の開示】
【考案が解決しようとする課題】
【０００３】  快適に読書を楽しむ為には本を読む時の負担を取り除くことです。重たい本を腕の代わりに支える事、読み易い位置に本が設定出来る事で解決します。
【課題を解決するための手段】
【０００４】  本考案は、椅子・ソファ−で読書のとき、本を置く台が座った位置に合うように角度がダイアルで調整でき、本を置く台はスタンドで支えます。スタンドは本を置く台を上下にダイアルで調整できる。フローリング、畳の部屋での読書ではスタンドを外した組み合わせで使用できる。
【考案の効果】
【０００５】  椅子・ソファ−で読書のとき、本を置く台が座った位置に合うように角度と上下に調整する事が出来、フローリング、畳の部屋での読書でも本の角度が調整出来るので、快適な読書が出来る。
【考案の実施する為の最良の形態】
【０００６】  本の読み易い角度の調整は本置き台のディスクとブレ−キをダイアルで締め付けて自由な角度で止まるようにした。座った位置に合うように上下の調整はスタンドのディスクとブレ−キをダイアルで締め付けて自由な位置で止まるようにした。開いた本が安定して置けるように本を置く台は平らでなく１７０°の角度をもたせた。本を置く台は一枚の板ではなく五本の細い板で構成されていて、ページめくりしやすくした。本を置く台にはページ押さえがあるので一ページ毎確実に頁めくりが出来る。椅子・ソファ−での読書はスタンドと台の組み合わせ、フローリング・畳の部屋での読書はスタンドを外して使用し、キッチンでお料理レシピを見る時はスタンドと台を組み合わせる等、いろいろな場所で使用出来る書見台である。
【実施例】
【０００７】  以下添付図面に従って実施例を説明する。読書で本の読み易い位置にする為、本置き台のディスク１とブレ−キをダイヤルで締め付けて自由な角度で止まるようにした。椅子・ソファ−での読書では、ソファ−で使用時のスタンド５のディスク２とブレ−キをダイヤルで締め付けて自由な位置で止まるようにした。本を置く台は平らでなく１７０°の角度をもたせる事により安定して本が置けるようにした。
本を置く台は一枚の板よりペ−ジめくりがし易いように五枚の板にした。
ペ−ジめくりの指が自由に位置できる隙間をもたせた。
本の頁はペ−ジ押さえ３のスプリングで押さえられる。
本置き台・スタンド・スタンド台の接続部分は取り付け取り外しが出来るようにしたので、椅子・ソファ−で読書の時は本置き台にスタンド５とスタンド台６で組み立て、キッチンで使用の時も本置き台にスタンドとスタンド台で組み立てる。畳・フロ−リングで読書の時は本置き台にスタンド台７を組み合わせる事により、本を持つ事から開放された読書を楽しむことが出来る。
【図面の簡単な説明】
【０００８】
【図１】  リビングル−ムのソファ−で本を読む時の組み合わせ
【図２】  フローリング、畳の部屋で本を読む時の組み合わせ
【図３】  キッチンではお料理レシピを見る時の組み合わせ
【図４】  組み合わせ分解図
【符号の説明】
【０００９】  １  本置き台の角度調整ディスク
２  ソファ−で使用時のスタンド位置調整ディスク
３  ページ押さえ
４  本受け
５  ソファ−で使用時のスタンド
６  ソファ−で使用時のスタンド台
７  フローリング、畳の部屋で使用時のスタンド台